(57)【要約】【課題】脊椎等の牽引装置を簡易な構造とし、一般家庭で手軽に使用でき、しかも室内の隅に設置しても設置空間を占有せず、実生活の支障にならない脊椎牽引器を提供する。【解決手段】器枠６は把持枠１２を脚板４ａに脊椎牽引者が左右の手で把持できる間隔で跨設する。脚板４ａに立設した支枠１４を把持枠１２の上部で連結し、把持枠１２と支枠１４で囲繞される空間が成人の出入りに十分なスペースを有し、且つ器枠６を成人の背丈以上の高さとする。支枠１４の上部に頭部ホルダー８を懸吊するホルダー吊り金具１０の調節環１０ａを吊下するための調節環鉤２２を、支枠１４の上部に沿って位置調節可能に設ける。【選択図】図６
2007289426.tif 000002
【特許請求の範囲】
【請求項１】
板状部材で形成した脚板を室内の隅部に適合する略直角のＶ字形に連設してなる台座と、該台座上に立設したパイプ状部材からなる器枠とを有し、頭部に装着した頭部ホルダーを該器枠の上部に懸吊することにより、人体の体重を牽引力として該人体に作用させるようにした脊椎牽引器であって、
上記器枠は、逆Ｕ字形の把持枠を、上記両脚板の岐端間に少なくとも脊椎牽引者が左右の手で把持できる間隔で跨設するとともに、両脚板の連設部に立設した逆Ｌ字形の支枠を上記把持枠の上部において相互に連結することにより、全体として上記把持枠と支枠によって囲繞される空間が成人が出入りするに十分なスペースを有し、且つ該器枠が成人の背丈以上の高さを有するものとして構成し、
上記器枠における支枠の上部に、頭部ホルダーを懸吊するホルダー吊り金具の調節環を吊下するための調節環鉤を、該支枠の上部に沿って位置調節可能に設けた、
ことを特徴とする脊椎牽引器。
【請求項２】
上記台座に器枠における把持枠及び支枠の下端を着脱自在に立設した、
ことを特徴とする請求項１に記載の脊椎牽引器。
【請求項３】
上記器枠における把持枠と支枠を高さ調節可能に構成した、
ことを特徴とする請求項１又は２に記載の脊椎牽引器。
【請求項４】
ホルダー吊り金具に複数の調節環を鎖状に連結し、これらの調節環を身長に応じて選択的に調節環鉤に吊下することにより、頭部ホルダーの懸吊高さを調節可能とした、
ことを特徴とする請求項１乃至３のいずれかに記載の脊椎牽引器。
【請求項５】
頭部に装着する頭部ホルダーが左右の吊掛部を有するものとして、上記ホルダー吊り金具における複数の調節環の下端に吊掛レバーを連結し、上記頭部ホルダーの左右の吊掛部をそれぞれ該吊掛レバーの両端に掛けることにより、該頭部ホルダーを上記ホルダー吊り金具に懸吊するようにした、
ことを特徴とする請求項１乃至４のいずれかに記載の脊椎牽引器。
【発明の詳細な説明】
【技術分野】
【０００１】
本発明は、脊椎、頸椎、腰椎等を牽引するための脊椎牽引器に関するものである。
【背景技術】
【０００２】
一般に、脊椎、頸椎、腰椎等を牽引するための装置は、脊椎、頸椎、腰椎等に何らかの障害を持つ患者に対する物理療法装置として病院等の医療施設に設置されており、患者を装置下部の椅子に座らせ、医師の操作で当該装置を駆動することにより患者の治療に供するもので、物療効果は大きい一方で、非常に大掛りで一般家庭の室内に設置するのは困難であるばかりでなく、極めて高額な医療機器であるため、一般家庭に普及するに至ってはいない。
【０００３】
一方、特許文献１においては、組立解体を可能とすることにより一般家庭にも設置可能な脊椎牽引装置が提案されているが、この脊椎牽引装置は、手動でロープを巻き上げることにより身体をぶら下げて脊椎を牽引するようにしたもので、ロープを巻き取るための構造物が突出するなど、仮に室内の隅に設置した場合でも広い設置空間を占有し、延いては歩行の邪魔になるなど実生活の支障になる場合が考えられる。
【０００４】
【特許文献１】特開２００３−６２８号公報
【発明の開示】
【発明が解決しようとする課題】
【０００５】
如上に鑑みて、本発明の技術的課題は、脊椎、頸椎、腰椎等を牽引するための装置を簡易な構造とすることにより、一般家庭においても家庭用健康器具として手軽に使用することができ、しかも室内の隅に設置しても特別の設置空間を占有せず、実生活の支障になることがない脊椎牽引器を提供することにある。
本発明の他の技術的課題は、器枠における把持枠と支枠の高さを調節可能とし、あるいはホルダー吊り金具の複数の調節環を選択的に調節環鉤に吊下することで頭部ホルダーの懸吊高さを調節可能とするにより、脊椎牽引者の体形に合わせて使用可能な脊椎牽引器を提供することにある。
【課題を解決するための手段】
【０００６】
上記課題を解決するため、本発明は、板状部材で形成した脚板を室内の隅部に適合する略直角のＶ字形に連設してなる台座と、該台座上に立設したパイプ状部材からなる器枠とを有し、頭部に装着した頭部ホルダーを該器枠の上部に懸吊することにより、人体の体重を牽引力として該人体に作用させるようにした脊椎牽引器であって、上記器枠は、逆Ｕ字形の把持枠を、上記両脚板の岐端間に少なくとも脊椎牽引者が左右の手で把持できる間隔で跨設するとともに、両脚板の連設部に立設した逆Ｌ字形の支枠を上記把持枠の上部において相互に連結することにより、全体として上記把持枠と支枠によって囲繞される空間が成人が出入りするに十分なスペースを有し、且つ該器枠が成人の背丈以上の高さを有するものとして構成し、該器枠における支枠の上部に、頭部ホルダーを懸吊するホルダー吊り金具の調節環を吊下するための調節環鉤を、該支枠の上部に沿って位置調節可能に設けたことを特徴とするものである。
【０００７】
本発明の脊椎牽引器の好ましい実施形態においては、上記台座に器枠における把持枠及び支枠の下端を着脱自在に立設した構成とすることができ、また、上記器枠における把持枠と支枠を高さ調節可能に構成するのが有効であり、さらに、ホルダー吊り金具に複数の調節環を鎖状に連結し、これらの調節環を身長に応じて選択的に調節環鉤に吊下することにより、頭部ホルダーの懸吊高さを調節可能とすることができる。
【０００８】
また、頭部に装着する頭部ホルダーが左右の吊掛部を有するものとして、上記ホルダー吊り金具における複数の調節環の下端に吊掛レバーを連結し、上記頭部ホルダーの左右の吊掛部をそれぞれ該吊掛レバーの両端に掛けることにより、該頭部ホルダーを上記ホルダー吊り金具に懸吊するよう構成することができ、これにより、ホルダー吊り金具により安定的に頭部ホルダーを懸吊することが可能となる。
【０００９】
上記構成を有する脊椎牽引器は、頭部に装着した頭部ホルダーを、ホルダー吊り金具の調節環を支枠の上部に設けた調節環鉤に懸吊し、把持枠を左右の手で把持した状態で膝を曲げるだけで容易に脊椎等を牽引することができる。しかも、上記器枠における把持枠と支枠の高さを調節可能とし、あるいは上記ホルダー吊り金具の複数の調節環を選択的に調節環鉤に吊下することで頭部ホルダーの懸吊高さを調節可能とすることで、当該脊椎牽引器を脊椎牽引者の体形に合わせて使用することができる。
また、脊椎牽引者が左右の手で把持枠を把持することができるうえに、ホルダー吊り金具の調節環を吊下する調節環鉤は支枠の上部に沿って位置調節可能としているので、脊椎牽引者と把持枠との間の間隔を該脊椎牽引者が把持枠を把持するのに最適な距離に調節することができ、当該脊椎牽引者の頸部に大きな負担がかかる虞がなく、安全性が高い脊椎牽引器を提供することができる。
【発明の効果】
【００１０】
以上に詳述した本発明の脊椎牽引器によれば、脊椎、頸椎、腰椎等を牽引するための装置を簡易な構造とすることにより、一般家庭においても家庭用健康器具として手軽に使用することができ、しかも室内の隅に設置しても特別の設置空間を占有せず、実生活の支障になることがない。
また、上記台座に器枠を構成する上記把持枠及び支枠を着脱自在に立設した構成とすることにより、室内において、必要に応じて台座と把持枠及び支枠を簡単に着脱して当該脊椎牽引器を容易に移設することができる。
【００１１】
さらに、上記器枠における把持枠と支枠の高さを調節可能とし、あるいは上記ホルダー吊り金具の複数の調節環を選択的に調節環鉤に吊下することで頭部ホルダーの懸吊高さを調節可能とすることにより、当該脊椎牽引器を脊椎牽引者の体形に合わせて使用することができる。そのうえ、脊椎牽引者が左右の手で把持枠を把持することができるうえに、脊椎牽引者と把持枠との間の間隔を該脊椎牽引者が把持枠を把持するのに最適な距離に調節することができようにしているので、当該脊椎牽引者の頸部に大きな負担がかかる虞がなく、安全性にも配慮した脊椎牽引器を提供することができる。
【発明を実施するための最良の形態】
【００１２】
図１〜図３は、本発明にかかる脊椎牽引器の実施例を示している。
この実施例の脊椎牽引器２は、概略的には、図１〜図３に示すように、木製あるいはステンレスやアルミ等の金属製の板状部材で形成した脚板４ａ，４ｂを室内の隅部に適合する略直角のＶ字形に連設してなる台座４と、該台座４上に立設したパイプからなる器枠６とを備えており、脊椎牽引者の頭部に装着される頭部ホルダー８（図６参照）を、ホルダー吊り金具１０を介して該器枠６の上部に懸吊することにより、該脊椎牽引者の体重を牽引力として該脊椎牽引者の脊椎等に作用させるようにしたものである。
【００１３】
上記器枠６は、逆Ｕ字形の把持枠１２を、上記両脚板４ａ，４ｂの岐端間に少なくとも脊椎牽引者が左右の手で把持できる間隔で跨設するとともに、両脚板４ａ，４ｂの連設部に立設した逆Ｌ字形の支枠１４を上記把持枠１２の上部において連結部材１６で相互に連結することにより、全体として上記把持枠１２と支枠１４によって囲繞される空間が成人が出入りするに十分なスペースを有し、且つ該器枠６が成人の背丈以上の高さを有するものとして構成している。
また、上記器枠６を構成する把持枠１２及び支枠１４は、上記台座４に着脱自在に立設されており、それにより、室内において、必要に応じて該台座４と上記把持枠１２及び支枠１４を簡単に着脱して当該脊椎牽引器２を容易に移設することができるようにしている。なお、上記台座４を構成する両脚板４ａ，４ｂも、梱包や運搬の利便性から着脱自在とするのが望ましい。
ここで、上記器枠６を構成する把持枠１２と支枠１４は、成人の脊椎牽引者の体重に耐えうる程度の強度と耐久性をもたせるため、例えば３５ｍｍ径のＳＵＳ３０４ステンレスを使用するのが適切である。
また、上記器枠６の高さは最大で約２００ｃｍ程度まで調節できるものとし、さらに、左右の把持枠１２と支枠１４との間の間隔は約６５ｃｍ程度とするのが最適である。
【００１４】
上記器枠６における把持枠１２と支枠１４は、両脚板４ａ，４ｂに立設される下方側のパイプ１２Ａ，１４Ａを大径に、それより上方側のパイプ１２Ｂ，１４Ｂを前記下方側のパイプ１２Ａ，１４Ａ内に挿入できる程度に小径として、それらの間を螺旋による緊締手段１７で適宜位置に固定することにより、該器枠６の高さを脊椎牽引者の身長に合わせて調節可能としている。
【００１５】
上記器枠６における支枠１４の上部には、上記ホルダー吊り金具１０の調節環１０ａを吊下するための調節環吊下部１８が付設されている。該調節環吊下部１８は、図４に明確に示すように、パイプ状の支枠１４の外周に吊下部材２０を遊嵌し、該吊下部材２０から下方に垂下する垂下部２０ａの穴２０ｂに調節環鉤２２を吊下することにより構成したもので、これにより上記調節環鉤２２を該支枠１４の上部に沿って位置調節可能としている。
より具体的には、上記吊下部材２０は、ＳＵＳ３０４ステンレスからなる平板状の金属板を略円筒状に成形するとともに、その両端を相互に衝合させることにより垂下部２０ａを形成し、該垂下部２０ａを締付ボルト２０ｃで緊締することにより上記支枠１４の上部に嵌着できるようにしている。
また、上記調節環鉤２２は、成人の体重を支持できる程度の強度を備えたＳＵＳ３０４ステンレス等の金属からなる棒状部材を略Ｓ字形に屈曲させることにより形成している。
【００１６】
上記ホルダー吊り金具１０は、図５に明確に示すように、複数の調節環１０ａ，１０ａを鎖状に連結するとともに、その下端に吊掛レバー１０ｂを連結することにより構成されている。該ホルダー吊り金具１０を構成する上記調節環１０ａ及び吊掛レバー１０ｂは、成人の体重を支持できる程度の強度を備えた１０ｍｍ径鉄線等を使用するのが望ましい。
また、脊椎牽引者の頭部に装着する上記頭部ホルダー８は、図６からわかるように、その左右に吊掛部８ａを有し、該吊掛部８ａをそれぞれ上記ホルダー吊り金具１０における吊掛レバー１０ｂの両端に掛けることにより、該頭部ホルダー８を上記ホルダー吊り金具１０に懸吊することができるようにしている。
そして、上記調節環１０ａ，１０ａを脊椎牽引者の身長に応じて選択的に上記調節環鉤２２に吊下することにより、上記器枠６自体の高さを調節することなく、上記頭部ホルダー８の懸吊高さを微調整することができるようにしている。
【００１７】
上記構成を有する脊椎牽引器２は、脊椎、頸椎、腰椎等を牽引するための装置を、基本的な構造を脚板４ａ，４ｂを室内の隅部に適合する略直角のＶ字形に連設してなる台座４上に、パイプからなる器枠６を立設するだけの簡易な構造とすることにより、一般家庭においても家庭用健康器具として手軽に且つ安価に使用することができ、そのうえ室内の隅に設置しても特別の設置空間を占有しないため、実生活の支障になることがない。
また、上記台座４に器枠６を構成する上記把持枠１２及び支枠１４を着脱自在に立設した構成とすることにより、室内において、必要に応じて台座４と把持枠１２及び支枠１４を簡単に着脱して当該脊椎牽引器２を容易に移設することができる。
【００１８】
しかも、脊椎牽引者の頭部に装着した頭部ホルダー８を、ホルダー吊り金具１０の調節環１０ａを支枠１４の上部に設けた調節環吊下部１８における調節環鉤２２に懸吊し、上記把持枠１２を左右の手で把持した状態で膝を曲げるだけで容易に脊椎等を牽引することができ、また、上記器枠６における把持枠１２と支枠１４の高さを調節可能するとともに、上記ホルダー吊り金具１０の複数の調節環１０ａを選択的に上記調節環鉤２２に吊下することで頭部ホルダー８の懸吊高さを調節可能としているので、当該脊椎牽引器２を脊椎牽引者の体形に合わせて使用することができる。
【００１９】
そのうえ、脊椎牽引者が左右の手で把持枠１２を把持することができるうえに、ホルダー吊り金具１０の調節環１０ａを吊下する調節環鉤２２は支枠１４の上部に沿って位置調節可能としているので、脊椎牽引者と把持枠１２との間の間隔を該脊椎牽引者が把持枠１２を把持するのに最適な距離に調節することができ、当該脊椎牽引者の頸部に大きな負担がかかる虞がなく、安全性が高い脊椎牽引器２を提供することができる。
【図面の簡単な説明】
【００２０】
【図１】本発明に係る脊椎牽引器の実施例を示す斜視図である。
【図２】上記実施例における側面図である。
【図３】上記実施例における平面図である。
【図４】上記実施例における調節環吊下部の構成態様を説明する部分破断拡大斜視図である。
【図５】上記実施例におけるホルダー吊り金具の構成態様を説明する部分破断拡大斜視図である。
【図６】上記実施例における脊椎牽引器により脊椎を牽引する態様を説明する側面図である。
【符号の説明】
【００２１】
２    脊椎牽引器
４    台座
４ａ  脚板
６    器枠
８    頭部ホルダー
８ａ  吊掛部
１０    ホルダー吊り金具
１０ａ  調節環
１０ｂ  吊掛レバー
１２    把持枠
１４    支枠
２２    調節環鉤
【図１】
2007289426.tif 000003
【図２】
2007289426.tif 000004
【図３】
2007289426.tif 000005
【図４】
2007289426.tif 000006
【図５】
2007289426.tif 000007
【図６】
2007289426.tif 000008